(57)【要約】【課題】簡単な構造であり、かつ、下部カバー蓋をカットアウト本体に容易に取り付けることができる下部カバー蓋取付工具を提供する。【解決手段】本体１１と、左側および右側支持部１２Ｌ，１２Ｒと、上端が左側および右側支持部１２Ｌ，１２Ｒにそれぞれ取り付けられるとともに下端が操作棒取付部１４の上面の左右端側にそれぞれ取り付けられた左側および右側連結棒１３Ｌ，１３Ｒとを具備する。本体１１は、側面視台形状の環状部材１１ａと、環状部材１１ａ内の下側部分に設けられた、かつ、下部カバー蓋１２０の筒状部１２２を嵌入するための筒状部嵌入部材１１ｂと、環状部材１１ａの左右の外周面の中央部に一端がそれぞれ取り付けられた、かつ、本体１１が回転自在となるように他端部が左側および右側支持部１２Ｌ，１２Ｒによって支持された左側および右側回転軸１１ｄＬ，１１ｄＲとを備える。【選択図】図１
2017076465.tif 000002
【特許請求の範囲】
【請求項１】
高圧カットアウト（１００）の下部カバー蓋（１２０）を該高圧カットアウトのカットアウト本体（１１０）に共用操作棒（５０）を用いて取り付けるための下部カバー蓋取付工具（１０）であって、
本体（１１）と、
該本体の左右側にそれぞれ配設された左側および右側支持部（１２Ｌ，１２Ｒ）と、
該左側および右側支持部に上端がそれぞれ取り付けられた左側および右側連結棒（１３Ｌ，１３Ｒ）と、
該左側および右側連結棒の下端が上面の左右端側にそれぞれ取り付けられた、かつ、前記下部カバー蓋取付工具を前記共用操作棒に取り付けるための操作棒取付部（１４）とを具備し、
前記本体が、
側面視台形状の環状部材（１１ａ）と、
該環状部材内の下側部分に設けられた、かつ、前記下部カバー蓋の筒状部（１２２）を嵌入するための筒状部嵌入部材（１１ｂ）と、
前記環状部材の左右の外周面の中央部に一端がそれぞれ取り付けられた、かつ、前記本体が回転自在となるように他端部が前記左側および右側支持部によって支持された左側および右側回転軸（１１ｄＬ，１１ｄＲ）とを備える、
ことを特徴とする、下部カバー蓋取付工具。
【請求項２】
前記筒状部嵌入部材の上部が、径が前記下部カバー蓋の前記筒状部の径よりも大きい半円環状とされており、
前記筒状部嵌入部材の下部が、左右方向の径である長径が前記環状部材の上部の径よりも大きいとともに上下方向の径である短径が前記環状部材の径以上である略半楕円環状とされており、
前記筒状部嵌入部材の下端部が、前記環状部材の下端部に取り付けられており、
前記筒状部嵌入部材の上部が、前記下部カバー蓋の前記筒状部を該筒状部嵌入部材の下部に嵌入したのち該筒状部嵌入部材の上部に移動させたときに該筒状部が前記環状部材の中心部に位置するように設けられている、
ことを特徴とする、請求項１記載の下部カバー蓋取付工具。
【請求項３】
前記筒状部嵌入部材が、前記環状部材の左右の開口面に対して垂直になるように該環状部材の幅方向の中央部を境として該環状部材の左側部が左斜め上方向に向くとともに該環状部材の右側部が右斜め上方向に向くようにされていることを特徴とする、請求項１または２記載の下部カバー蓋取付工具。
【請求項４】
前記本体が倒設状態にされたときに該本体をロックして回転できなくするためのロック手段（１２Ｌａ，１２Ｒａ，２１Ｌ〜２３Ｌ，２１Ｒ〜２３Ｒ）をさらに具備することを特徴とする、請求項１乃至３いずれかに記載の下部カバー蓋取付工具。
【請求項５】
前記ロック手段が、
前記左側および右側支持部の上部中央部に形成された、かつ、円板部と棒部とからなる左側および右側係合ピン（２１Ｌ，２１Ｒ）の棒部の先端部をそれぞれ貫通させるための左側および右側貫通孔（１２Ｌａ，１２Ｒａ）と、
前記本体の左および右側面に形成された、かつ、前記本体が倒設状態にされたときに前記左側および右側係合ピンの棒部が嵌入して係合する左側および右側係合穴（２２Ｌ，２２Ｒ）と、
前記左側および右側係合ピンの前記棒部の該左側および右側係合ピンの前記円板部と前記左側および右側支持部の前記本体と反対側の側面との間に取り付けられた左側および右側圧縮バネ（２３Ｌ，２３Ｒ）と、
を備えることを特徴とする、請求項４記載の下部カバー蓋取付工具。
【発明の詳細な説明】
【技術分野】
【０００１】
本発明は、円筒型の高圧カットアウトに設けられている下部カバー蓋をカットアウト本体に取り付けるのに好適な下部カバー蓋取付工具に関する。
【背景技術】
【０００２】
従来、変圧器などの電力機器が接続された電路には、電力機器に異常な電力が供給されることを防止するための高圧カットアウトが接続されている。
【０００３】
このような高圧カットアウトとして、図５（ａ），（ｂ）に示すような円筒型の高圧カットアウト１００がある。
高圧カットアウト１００は、上端部が閉じられるとともにヒューズを収容するためのヒューズ収容空間が内部に形成された円筒状のカットアウト本体１１０と、ヒューズ収容空間に連通するようにカットアウト本体１１０の底面に形成された開口部１１０ａに対して着脱可能に構成された下部カバー蓋１２０と、一端部がカットアウト本体１１０に取り付けられるとともに他端部が下部カバー蓋１２０に取り付けられた落下防止用紐１３０（以下、「紐１３０」と称する。）とを備えている。
【０００４】
下部カバー蓋１２０は、カットアウト本体１１０の開口部１１０ａに対して嵌入可能な蓋本体１２１と，蓋本体１２１の下面の中央部に突設された筒状部１２２と、紐１３０の他端部を取り付けるための紐取付部１２３とを備える。
【０００５】
このように構成された高圧カットアウト１００では、カットアウト本体１１０のヒューズ収容空間に収容されたヒューズが送電方向上流側の電路と送電方向下流側の電路との間に電気的に接続されており、送電方向上流側から送電方向下流側に異常な電力が供給されると、ヒューズが送電方向上流側の電路と送電方向下流側の電路とを電気的に遮断するようにされている。
【０００６】
また、下部カバー蓋１２０は、先端部に蓋体取付工具が取り付けられた間接活線操作棒を用いて間接活線工法によってヒューズ交換作業や保守点検作業などの各種の作業を行う際にはカットアウト本体１１０から取り外されるとともに、作業が完了するとカットアウト本体１１０に取り付けられる。
しかし、下部カバー蓋１２０をカットアウト本体１１０から取り外すと、下部カバー蓋１２０は、図５（ｂ）に示すように紐１３０を介してカットアウト本体１１０にぶら下がった状態となり、風などの影響で動揺するため、カットアウト本体１１０に取り付けるのに時間を要するという問題があった。
【０００７】
このような問題を解決する手法として、本出願人は、下記の特許文献１において、間接活線操作棒が連結される第一端部および第一端部の反対側の第二端部を有するベースと、ベースの第二端部に回転自在に連結される基端部および基端部の反対側の先端部を有するアームと、アームの先端部に連結されるとともに、蓋体（下部カバー蓋１２０）の筒状部に挿入可能な挿入部と、間接活線操作棒と挿入部とが一列に並んだ状態でアームの回転を規制するロック機構とを備えた蓋体取付工具を提案している。
【先行技術文献】
【特許文献】
【０００８】
【特許文献１】特開２０１３−１４０７２８号公報
【発明の概要】
【発明が解決しようとする課題】
【０００９】
しかしながら、上記の特許文献１で提案した蓋体取付工具は、下部カバー蓋１２０をカットアウト本体１１０に取り付ける際の作業性の向上を図ることはできるが、挿入部を下部カバー蓋１２０の筒状部１２２に挿入して使用するものであるので、挿入部の姿勢を筒状部１２２の姿勢に対応させるためには、作業者がアームを回転させてアームに連結された挿入部を一緒に回転して挿入部の姿勢を間接活線操作棒と交差する方向に延びる姿勢にする必要があるとともに（公報の段落００１６参照）、間接活線操作棒と挿入部とが一列に並んだ状態でアームの回転を規制するロック機構を備える必要がある（公報の段落００１７参照）。
【００１０】
なお、絶縁ヤットコなどを用いても下部カバー蓋１２０をカットアウト本体１１０に取り付けることはできるが、ヒューズ取替作業は一人で行うことが多いため、作業の邪魔にならないようにできるだけ吊り上げする工具は少なくしたいという要請がある。
【００１１】
本発明の目的は、簡単な構造であり、かつ、下部カバー蓋をカットアウト本体に容易に取り付けることができる下部カバー蓋取付工具を提供することにある。
【課題を解決するための手段】
【００１２】
本発明の下部カバー蓋取付工具は、高圧カットアウト（１００）の下部カバー蓋（１２０）を該高圧カットアウトのカットアウト本体（１１０）に共用操作棒（５０）を用いて取り付けるための下部カバー蓋取付工具（１０）であって、本体（１１）と、該本体の左右側にそれぞれ配設された左側および右側支持部（１２Ｌ，１２Ｒ）と、該左側および右側支持部に上端がそれぞれ取り付けられた左側および右側連結棒（１３Ｌ，１３Ｒ）と、該左側および右側連結棒の下端が上面の左右端側にそれぞれ取り付けられた、かつ、前記下部カバー蓋取付工具を前記共用操作棒に取り付けるための操作棒取付部（１４）とを具備し、前記本体が、側面視台形状の環状部材（１１ａ）と、該環状部材内の下側部分に設けられた、かつ、前記下部カバー蓋の筒状部（１２２）を嵌入するための筒状部嵌入部材（１１ｂ）と、前記環状部材の左右の外周面の中央部に一端がそれぞれ取り付けられた、かつ、前記本体が回転自在となるように他端部が前記左側および右側支持部によって支持された左側および右側回転軸（１１ｄＬ，１１ｄＲ）とを備えることを特徴とする。
ここで、前記筒状部嵌入部材の上部が、径が前記下部カバー蓋の前記筒状部の径よりも大きい半円環状とされており、前記筒状部嵌入部材の下部が、左右方向の径である長径が前記環状部材の上部の径よりも大きいとともに上下方向の径である短径が前記環状部材の径以上である略半楕円環状とされており、前記筒状部嵌入部材の下端部が、前記環状部材の下端部に取り付けられており、前記筒状部嵌入部材の上部が、前記下部カバー蓋の前記筒状部を該筒状部嵌入部材の下部に嵌入したのち該筒状部嵌入部材の上部に移動させたときに該筒状部が前記環状部材の中心部に位置するように設けられていてもよい。
前記筒状部嵌入部材が、前記環状部材の左右の開口面に対して垂直になるように該環状部材の幅方向の中央部を境として該環状部材の左側部が左斜め上方向に向くとともに該環状部材の右側部が右斜め上方向に向くようにされていてもよい。
前記本体が倒設状態にされたときに該本体をロックして回転できなくするためのロック手段（１２Ｌａ，１２Ｒａ，２１Ｌ〜２３Ｌ，２１Ｒ〜２３Ｒ）をさらに具備してもよい。
前記ロック手段が、前記左側および右側支持部の上部中央部に形成された、かつ、円板部と棒部とからなる左側および右側係合ピン（２１Ｌ，２１Ｒ）の棒部の先端部をそれぞれ貫通させるための左側および右側貫通孔（１２Ｌａ，１２Ｒａ）と、前記本体の左および右側面に形成された、かつ、前記本体が倒設状態にされたときに前記左側および右側係合ピンの棒部が嵌入して係合する左側および右側係合穴（２２Ｌ，２２Ｒ）と、前記左側および右側係合ピンの前記棒部の該左側および右側係合ピンの前記円板部と前記左側および右側支持部の前記本体と反対側の側面との間に取り付けられた左側および右側圧縮バネ（２３Ｌ，２３Ｒ）とを備えてもよい。
【発明の効果】
【００１３】
本発明の下部カバー蓋取付工具は、以下に示す効果を奏する。
（１）側面視台形状の環状部材および筒状部嵌入部材を備える本体を回転自在に共用操作棒に取り付ける構成とすることにより、簡単な構造とすることができる。
（２）共用操作棒を操作して下部カバー蓋をカットアウト本体に容易に取り付けることができる。
（３）下部カバー蓋取付作業の作業時間を短縮することができる。
【図面の簡単な説明】
【００１４】
【図１】本発明の一実施例による下部カバー蓋取付工具１０の構成について説明するための図であり、（ａ）は下部カバー蓋取付工具１０の正面図であり、（ｂ）は下部カバー蓋取付工具１０の右側面図であり、（ｃ）は本体１１の構成を説明するための図であり、（ｄ）は共用操作棒５０の構成を説明するための図である。
【図２】図１（ａ）〜（ｃ）に示した下部カバー蓋取付工具１０の使用方法について説明するための図である。
【図３】図１（ａ）〜（ｃ）に示した下部カバー蓋取付工具１０の使用方法について説明するための図である。
【図４】図１（ａ）〜（ｃ）に示した下部カバー蓋取付工具１０の変形例について説明するための図である。
【図５】従来の高圧カットアウト１００の構成を示す正面図であり、（ａ）はカットアウト本体１１０に下部カバー蓋１２０が取り付けられた状態を示す図であり、（ｂ）はカットアウト本体１１０から下部カバー蓋１２０が取り外されている状態を示す図である。
【発明を実施するための形態】
【００１５】
上記の目的を、側面視台形状の環状部材および筒状部嵌入部材を備える本体を回転自在に共用操作棒に取り付ける構成とすることにより実現した。
【実施例１】
【００１６】
以下、本発明の下部カバー蓋取付工具の実施例について図面を参照して説明する。
本発明の一実施例による下部カバー蓋取付工具１０（以下、「蓋取付工具１０」と称する。）は、図１（ｄ）に示す共用操作棒５０（間接活線操作棒）を用いて下部カバー蓋１２０（径＝８０ｍｍおよび筒状部１２２の径＝２０ｍｍ）をカットアウト本体１１０に取り付けるためのものであり、図１（ａ），（ｂ）に示すように、本体１１と、本体１１の左右側にそれぞれ配設された左側および右側支持部１２Ｌ，１２Ｒと、上端が左側および右側支持部１２Ｌ，１２Ｒにそれぞれ取り付けられた左側および右側連結棒１３Ｌ，１３Ｒと、左側および右側連結棒１３Ｌ，１３Ｒの下端が上面の左右端側にそれぞれ取り付けられた円柱状の操作棒取付部１４とを具備する。
【００１７】
ここで、本体１１は、図１（ｃ）に示すように、円環状の環状部材１１ａと、筒状部嵌入部材１１ｂと、４個の板状部材１１ｃと、一端が環状部材１１ａの左右の外周面の中央部にそれぞれ取り付けられた左側および右側回転軸１１ｄＬ，１１ｄＲとを備える。
【００１８】
なお、以下の説明では、図１（ａ）に示すように環状部材１１ａが倒れた状態（すなわち、環状部材１１ａの開口面が上下方向に向いた状態）を「本体１１の倒設状態」と称し、環状部材１１ａが立った状態（すなわち、環状部材１１ａの開口面が左右方向に向いた状態）を「本体１１の立設状態」と称する。
また、本体１１が倒設状態であるときに上側となる環状部材１１ａの部分を「環状部材１１ａの上側部分」と称し、本体１１が倒設状態であるときに下側となる環状部材１１ａの部分を「環状部材１１ａの下側部分」と称する。
【００１９】
環状部材１１ａは、図１（ｂ）に示すように、環状部材１１ａを側面から見ると、高さ（環状部材１１ａの径）＝８５ｍｍ、上辺（上側部分）の長さ＝２０ｍｍおよび下辺（下側部分）の長さ＝３０ｍｍの台形状（すなわち、側面視台形状）とされている。
【００２０】
筒状部嵌入部材１１ｂの上部（環状部材１１ａの上側部分側の部分）は径＝２５ｍｍの半円環状とされており、筒状部嵌入部材１１ｂの下部（環状部材１１ａの下側部分側の部分）は長径＝３５ｍｍの略半楕円環状とされているとともに、筒状部嵌入部材１１ｂの上部と筒状部嵌入部材１１ｂの下部との中間部は横幅＝２５ｍｍの角筒状とされている。
筒状部嵌入部材１１ｂの下端部は環状部材１１ａの下端部に取り付けられており、筒状部嵌入部材１１ｂの上端は環状部材１１ａの下端から５２ｍｍとなるようにされている。
筒状部嵌入部材１１ｂは、本体１１の左右いずれの方向からも下部カバー蓋１２０の筒状部１２２を嵌入できるようにするために、環状部材１１ａの左右の開口面に対して垂直になるように環状部材１１ａの幅方向の中央部を境として環状部材１１ａの左側部は左斜め上方向に向くとともに環状部材１１ａの右側部は右斜め上方向に向くようにされている（図２（ａ）の破線参照）。
【００２１】
４個の板状部材１１ｃは、筒状部嵌入部材１１ｂを環状部材１１ａによって支持するために、一端面が環状部材１１ａの内面に固定されるとともに他端面（一端面と反対側の端面）が筒状部嵌入部材１１ｂの外面に固定されて、環状部材１１ａの周方向に４５°の間隔で設けられている。
これにより、環状部材１１ａを円板状で構成した場合に比べて本体１１の軽量化を図ることができる。
【００２２】
左側および右側回転軸１１ｄＬ，１１ｄＲは、本体１１が前後方向（図１（ａ）の紙面表裏方向）に回転自在となるように、他端部が左側および右側支持部１２Ｌ，１２Ｒによって支持されている。
これにより、環状部材１１ａは図１（ｂ）に示すように側面視台形状とされて上側部分よりも下側部分の方が重くされているため、共用操作棒５０を操作棒取付部１４に取り付けたのちに地面に対して垂直にすると、本体１１は立設状態となる。
【００２３】
操作棒取付部１４は、円柱状の棒部５０ａの上端に円柱状の挿入部５０ｂが取り付けられた共用操作棒５０（図１（ｄ）参照）の挿入部５０ｂを下面側から挿入するための挿入穴が形成されているとともに、共用操作棒５０の挿入部５０ｂの前後の外周面に１個ずつ突設された矩形棒状の突起５０ｃを引っ掛けて共用操作棒５０を操作棒取付部１４に取り付けるためのＴ字状の切欠き１４ａが前後の周面に１つずつ形成されている。
これにより、共用操作棒５０の突起５０ｃが操作棒取付部１４の切欠き１４ａの縦線部を通って切欠き１４ａの横線部に当接するまで共用操作棒５０を引き上げ、共用操作棒５０の突起５０ｃが操作棒取付部１４の切欠き１４ａの横線部の右端に当接するまで共用操作棒５０を左回りに回すことにより、共用操作棒５０に蓋取付工具１０を取り付けることができる。
【００２４】
次に、本実施例による蓋取付工具１０の使用方法について、図２（ａ）〜（ｄ）および図３（ａ），（ｂ）を参照して説明する。
先ず、作業員は、蓋取付工具１０を共用操作棒５０に取り付ける。
【００２５】
その後、作業員は、共用操作棒５０を地面に対して垂直にした状態で、紐１３０を介してカットアウト本体１１０にぶら下がっている下部カバー蓋１２０に共用操作棒５０の本体１１を近付けたのち、図２（ａ）に示すように下部カバー蓋１２０の筒状部１２２を本体１１の筒状部嵌入部材１１ｂの下部に嵌入させる。
このとき、本体１１は立設状態となっており、また、本体１１の筒状部嵌入部材１１ｂの下部は長径＝３５ｍｍの略半楕円環状とされているため、作業員は、下部カバー蓋１２０が風などの影響で動揺していても、共用操作棒５０を操作して筒状部１２２（径＝２０ｍｍ）を筒状部嵌入部材１１ｂの下部に容易に嵌入させることができる。
その後、作業員は、図２（ｂ）に矢印で示すように共用操作棒５０を下方に向けて操作して、筒状部嵌入部材１１ｂの下部に嵌入された下部カバー蓋１２０の筒状部１２２を環状部材１１ａの中間部を通して環状部材１１ａの上部に移動させる。
【００２６】
その後、作業員は、図２（ｃ）に矢印で示すように共用操作棒５０を左斜め上方（すなわち、カットアウト本体１１０の紐１３０が取り付けられた側と反対側）に向けて操作して、下部カバー蓋１２０の蓋本体１２１の上面の右端部分（すなわち、カットアウト本体１１０の紐１３０が取り付けられた側の部分）をカットアウト本体１１０の底面に当接させる。
これにより、蓋取付工具１０の本体１１が、同図に矢印で示すように、左側および右側回転軸１１ｄＬ，１１ｄＲを中心として右回りに回転する。
【００２７】
その後、作業員は、図２（ｄ）に矢印で示すように共用操作棒５０を上方に向けて操作して、下部カバー蓋１２０の蓋本体１２１の上面の右側部分をカットアウト本体１１０の底面に当接させて、蓋取付工具１０の本体１１を倒設状態とする。
【００２８】
その後、作業員は、図３（ａ）に矢印で示すように共用操作棒５０を右手前または右奥に向けて操作して、下部カバー蓋１２０の蓋本体１２１をカットアウト本体１１０の底面の開口部１１０ａの真下に位置させる。
【００２９】
その後、作業員は、図３（ｂ）に矢印で示すように共用操作棒５０を上方に向けて操作して、下部カバー蓋１２０の蓋本体１２１をカットアウト本体１１０の底面の開口部１１０ａに嵌入させて、下部カバー蓋１２０をカットアウト本体１１０に取り付ける。
【００３０】
なお、紐１３０の長さが高圧カットアウト本体１１０の底面の径よりも短い場合には、下部カバー蓋１２０の筒状部１２２を環状部材１１ａの上部に移動させたのち（図２（ｂ）参照）、共用操作棒５０を左斜め上方に向けて操作すれば、紐１３０が伸びた状態で下部カバー蓋１２０の蓋本体１２１の上面の右端部分をカットアウト本体１１０の底面に当接させることができる。
そのため、蓋本体１２１の上面をカットアウト本体１１０の底面に当接させたまま共用操作棒５０を右方向に向けて操作することにより、下部カバー蓋１２０の蓋本体１２１をカットアウト本体１１０の底面の開口部１１０ａの真下に位置させることができる。
【００３１】
以上の説明では、本体１１が回転自在となるように左側および右側回転軸１１ｄＬ，１１ｄＲの他端部を左側および右側支持部１２Ｌ，１２Ｒによって支持したが、本体１１が倒設状態にされたときにこの状態をロックするようにしてもよい。
【００３２】
たとえば、図４（ａ）〜（ｄ）に示すように、円板部と棒部とからなる左側および右側係合ピン２１Ｌ，２１Ｒ（左側係合ピン２１Ｌは不図示）の棒部の先端部をそれぞれ貫通させるための左側および右側貫通孔１２Ｌａ，１２Ｒａ（左側貫通孔１２Ｌａは不図示）を左側および右側支持部１２Ｌ，１２Ｒの上部中央部に形成し、本体１１が倒設状態にされたときに左側および右側係合ピン２１Ｌ，２１Ｒの棒部が嵌入して係合する左側および右側係合穴２２Ｌ，２２Ｒ（左側係合穴２２Ｌは不図示）を本体１１の左および右側面にそれぞれ形成するととともに、左側および右側係合ピン２１Ｌ，２１Ｒの棒部の左側および右側係合ピン２１Ｌ，２１Ｒの円板部と左側および右側支持部１２Ｌ，１２Ｒの本体１１と反対側の側面との間に左側および右側圧縮バネ２３Ｌ，２３Ｒ（左側圧縮バネ２３Ｌは不図示）をそれぞれ取り付けてもよい。
【００３３】
ここで、左側および右側係合穴２２Ｌ，２２Ｒは、立設状態の本体１１が前後いずれの方向に回転されて倒設状態にされても左側および右側係合ピン２１Ｌ，２１Ｒが係合できるように、図４（ａ）に右側係合穴２２Ｒについて示すように２個ずつ形成する。
【００３４】
また、この場合には、作業開始前は、作業員が左側および右側係合ピン２１Ｌ，２１Ｒの円板部を本体１１と反対側に引っ張って左側および右側係合ピン２１Ｌ，２１Ｒと左側および右側係合穴２２Ｌ，２２Ｒとの係合を解除すると、本体１１が前後いずれかの方向に回転して立設状態となり、作業員が左側および右側係合ピン２１Ｌ，２１Ｒの円板部を離すと、図４（ｂ）に示すように右側係合ピン２１Ｌ，２１Ｒの棒部の先端は左側および右側支持部１２Ｌ，１２Ｒの本体１１と反対側の側面に当接した状態となる。
【００３５】
次に、このように構成された蓋取付工具１０の使用方法について説明する。
先ず、作業員は、蓋取付工具１０を共用操作棒５０に取り付ける。
【００３６】
その後、作業員は、共用操作棒５０を地面に対して垂直にした状態で、紐１３０を介してカットアウト本体１１０にぶら下がっている下部カバー蓋１２０に共用操作棒５０の本体１１を近付けたのち、下部カバー蓋１２０の筒状部１２２を本体１１の筒状部嵌入部材１１ｂの下部に嵌入させる（図２（ａ）参照）。
【００３７】
その後、作業員は、共用操作棒５０を下方に向けて操作して、筒状部嵌入部材１１ｂの下部に嵌入された下部カバー蓋１２０の筒状部１２２を環状部材１１ａの中間部を通して環状部材１１ａの上部に移動させる（図２（ｂ）参照）。
【００３８】
その後、作業員は、共用操作棒５０を左側（すなわち、カットアウト本体１１０の紐１３０が取り付けられた側と反対側）に向けて操作して、紐１３０が伸びるまで蓋取付工具１０を移動させる。
これにより、蓋取付工具１０の本体１１が左側および右側回転軸１１ｄＬ，１１ｄＲを中心として回転して倒設状態となるため、左側および右側係合ピン２１Ｌ，２１Ｒが左側および右側係合穴２２Ｌ，２２Ｒと係合する結果、本体１１がロックされて蓋取付工具１０を傾けても回転しなくなる。
【００３９】
その後、作業員は、共用操作棒５０を操作して、下部カバー蓋１２０の蓋本体１２１をカットアウト本体１１０の底面の開口部１１０ａの真下に位置させる（図３（ａ）参照）。
【００４０】
その後、作業員は、共用操作棒５０を上方に向けて操作して、下部カバー蓋１２０の蓋本体１２１をカットアウト本体１１０の底面の開口部１１０ａに嵌入させて、下部カバー蓋１２０をカットアウト本体１１０に取り付ける（図３（ｂ）参照）。
【符号の説明】
【００４１】
１０  蓋取付工具
１１  本体
１１ａ  環状部材
１１ｂ  筒状部嵌入部材
１１ｃ  板状部材
１１ｄＬ，１１ｄＲ  左側および右側回転軸
１２Ｌ，１２Ｒ  左側および右側支持部
１２Ｌａ，１２Ｒａ  左側および右側貫通孔
１３Ｌ，１３Ｒ  左側および右側連結棒
１４  操作棒取付部
１４ａ  切欠き
２１Ｌ，２１Ｒ  左側および右側係合ピン
２２Ｌ，２２Ｒ  左側および右側係合穴
２３Ｌ，２３Ｒ  左側および右側圧縮バネ
５０  共用操作棒
５０ａ  棒部
５０ｂ  挿入部
５０ｃ  突起
１００  高圧カットアウト
１１０  カットアウト本体
１１０ａ  開口部
１２０  下部カバー蓋
１２１  蓋本体
１２２  筒状部
１２３  紐取付部
１３０  紐
【図１】
2017076465.tif 000003
【図２】
2017076465.tif 000004
【図３】
2017076465.tif 000005
【図４】
2017076465.tif 000006
【図５】
2017076465.tif 000007